【事件の表示】
　平成　５年特許願第　６９０８８号「記録媒体、記録又は再生装置」拒絶査定不服審判事件〔平成　６年　９月１６日出願公開、特開平　６−２５９９３７〕について、次のとおり審決する。
【結　論】
　本件審判の請求は、成り立たない。
【理　由】
１．手続の経緯・本願発明
　本願は、平成５年３月５日の出願であって、その請求項１〜３に係る発明は、平成１６年４月５日付け手続補正によって補正された明細書の特許請求の範囲の請求項１〜３に記載されたとおりのものと認められるところ、そのうち請求項１に係る発明（以下、「本願発明」という。）は、次のとおりである（なお、アンダーラインは当審で付与した。（注）を参照のこと。）。
　
「１又は複数単位の音声情報が記録される音声情報記録領域と前記音声情報の記録動作又は再生動作のための管理情報が記録される管理情報記録領域とを備え、さらに
該管理情報内には
　前記記録媒体から、前記文字記録領域から文字列情報を読み込む文字列情報読込手段と、
　ユーザー操作に応じて対話モードが設定されたとき、前記文字列情報読込手段によって読み込まれたコマンドとしての文字列情報により指示された動作の実行を制御する制御手段と、
　前記制御手段によって制御され、読み込まれた文字列情報によって指示された動作を実行する所要の入出力手段と、
を備えたことを特徴とする記録又は再生装置。」
　
（注）上記本願発明のうち「該管理情報内には」の部分は、前後の記載内容から見て「管理情報」は「管理情報記録領域」の誤記であると認められるので、以後は当該部分を「該管理情報記録領域内には」と読み替えて検討することとする。
　
２．引用例
　これに対して、拒絶査定において引用された刊行物である特開平２−７２７６号公報（以下、「引用例」という。）には、情報転送システム用装置について、図面とともに以下の技術事項が記載されている（なお、アンダーラインは当審で付与した。）。
　
（ａ）
「１．主情報がサブデジタル情報と共に記録された情報キャリアを用い、サブデジタル情報の所定のビットによってサブ情報チャネルを形成し、記録された情報の読出し後サブ情報チャネルのビットを分離するようにした情報転送システムにおいて、前記サブ情報チャネルに種々の異なる情報カテゴリのパケットを記録し、異なるカテゴリのパケットをインターリーブし、情報カテゴリを選択し、選択された情報カテゴリのパケットを前記情報キャリアから読出したビットから分離するようにしたことを特徴とする情報転送システム。」（特許請求の範囲の請求項１）
　
（ｂ）
「本発明の目的は情報キャリアを再生する装置のユーザとのコミュニケーションを改善し得る冒頭にて述べたようなシステムを提供することにある。」（５頁右下欄２行〜同欄４行）
　
（ｃ）
「以下実施例について図面を参照して説明するに、第１図はコンパクトディスク又はＣＤＶディスクのオーディオチャネルに記録されたデジタルデータ流を示す。１フレーム（ＦＲＡＭＥ）は５８８ビツトの記録データから成り、各フレームはその冒頭に特定ビツトパターンのフレーム同期パルスＦＳを有している。このフレーム同期パルスＦＳには３ビツトのＤＣ制限ビットＲＢを追従させる。その後、各々が１４ビツトと、３ビツトのＤＣ制限ビットＲＢとを有している０から３２番目までのデータビットＤＢも交互に記録する。
これらのデータビットＤＢの内の０番目のデータビットをサブコード信号と称し、これはディスクの再生を制御したり、関連する情報を表示したりすることなどに用いる。第１〜第１２番目及び第１７〜第２８番目のデータビットＤＢは主チャネルのオーディオデータ用に割り当てる
　第２図は、９８個のフレームを順次並列に配置し、データビットの各々を８ビツトで表わし、且つＤＣ制限ビットを除外した場合における１ブロツク（ＢＬＯＣＫ）（９８フレーム）の状態を示す。０番目と第１番目のＦＲＡＭＥにおけるサブコード信号は予定したビットパターンである同期パターンを形成する。Ｑチャネルに対するエラー検出用のＣＲＣコードを９８フレームの内の後の方の１６フレームに挿入する。
　Ｐチャネル信号は音楽番組及びポーズ状態を示すフラグであり、この信号のレベルは音楽番組の期間中は充分低レベルにあり、ポーズ帰還中はずっと高レベルにあり、しかもリードアウト区分に周期が２Ｈzのパルスを有している。Ｐチャネルにおける斯る信号を検出し、且つ計数することによって特定の音楽番組を選択して再生することができる。Ｑチャネルは斯るタイプのもっと複雑な制御をすることができる。例えば、Ｑチャネル情報をディスク再生装置に据え付けたマイクロコンピュータに記憶させれば、或る音楽番組の再生中に一方の音楽番組から他方の番組へと迅速にジャンプさせることができ、従って記録済みの音楽番組のそれぞれをランダムに選択することができる。
　
本発明によれば、テキスト情報及び記録済み情報の読出しを相対的に制御するためのコマンドを転送するのに他のＲ〜Ｗチャネルを用いる
　Ｑチャネルにおける９８ビツトの内の最初の２ビツトは同期パターン用に用い、つぎの４ビツトは制御ビットとして用い、これに続く７２ビットはデ−タビット用に用い、残りはエラー検出用のＣＲＣコードに用いる。データビットを表わす７２ビツトにはトラック番号コードＴＮＲ及びインデックスコードＸを含める。トラック番号コードＴＮＲは００から９９まで変えることができ、インデックスコードＸも同様に００から９９まで変えることができる。さらに、Ｑチャネルにおけるデータは音楽番組及びポーズの時間的期間を表わす時間指示コード及びコンパクトディスクの番組領域におけるリム最外側の始端から終端まで連続的に変化する絶対的な時間を表わす時間指示コードを含んでいる。これらの時間指示コードは各々が２桁から成る分、秒及びフレーム番号を示すコードで構成する。１秒は７５フレームで構成する。音楽よりも短い時間単位に基づく上述したようなデジタルデータをコンパクトディスクから読取るためには、上述した絶対時間に対する時間指示コードを利用する。
　各ブロックのＲ〜Ｗチャネルは各々が６ビットの９６個のシンボルから成るパケットで構成する。第３図にこのようなパケットを参照番号３０にて示してある。パケット３０は各々が２４個のシンボルから成る４つのパック３１で構成する。各パケット３０には、そのパケットの情報がどのカテゴリに属するかを示す主カテゴリコードと、サブカテゴリコードとを割り当てる。異なるカテゴリのパケットをインターリーブさせる。
パケットに記録する情報は表示装置には表示させるテキスト又は像情報とするか、又は情報の読出しを制御する命令コードとすることができる
　第４図は異なるカテゴリの一連のインターリーブパケットを示す。異なるカテゴリのパケットをそれぞれ３０ａ、３０ｂ及び３０ｃにて示してある。同じ主カテゴリのパケットは主チャネルを形成する。主チャネル内の同じサブカテゴリのパケットはサブチャネルを形成する。
　
主チャネルを用いることにより表示すべきテキスト情報の言語を選択することができる。サブ情報チャネルを用いることによりアルバム、トラックのタイトル、トラックリスト、演奏者等の如きサブ情報カテゴリを選択することができる
　異なるカテゴリのチャネルを用いることにより、ディスクの再生中に表示装置に表示すべき言語及びサブ情報カテゴリを選択することができる。
　第５Ａ〜第５Ｄ図は１ラインの符号化テキストを転送するのにそれぞれ適しているパック０，１，２及び３のフォーマットを示したものである。各パックのシンボル０はフォーマットの形式を示すのに用いる。図面にモード（Ｍｏｄｅ）２アイテム（Ｉｔｅｍ）０にて示すフォーマットは４０のテキストアイテムから成る符号化テキストラインを転送するのに用いる。パック０のシンボル１のビット５及びシンボル５のビット５並びにパック３のシンボル４のビット４は、サブ情報カテゴリを示す８ビツト（ＳＩＣ７〜ＳＩＣ０）を転送するのに用いる。パック１のシンボル１のビット１のビット（ＭＩＣ５〜ＭＩＣ０）は主カテゴリを示すのに用いる。このようにして６４個の異なる主カテゴリと２５６個の異なるサブ情報カテゴリとを選択することができる。各パックのシンボル４のビット５はパケット同期用に用いる。各パックのシンボル２，３及び２０〜３３はエラーチェック及びエラー訂正用に用いる。パック０のシンボル６〜１９は、パック１のシンボル６〜１８及びビット５並びに４と、パック２のシンボル６〜１８と、パック３のシンボル６〜１８は、各々が符号化テキストアイテム、例えば英数字文字を示す４０バイトを転送するのに用いる。パック０のシンボル４のビット４〜０（Ｌ４〜Ｌ０）は、転送されたテキストラインを第１表示能力を有する表示装置、例えば表示能力が２１テキストラインのＣＲＴ表示装置に表示させる垂直位置を示す第１テキスト位置コードを構成する。パック１のシンボル４におけるビットＬＣＤ１及びＬＣＤ０は、符号化テキストラインを第２表示能力を有する表示装置、例えば２ラインＬＣＤ又はＬＥＤ表示装置に表示させる垂直位置を示す第２テキスト位置コードを構成する。同じテキストラインに割当てられた２つの異なる位置コードを用いることにより、２１ライン表示装置及び２ライン表示装置のように２つの異なるタイプの表示装置を用いることができる。テレビジョンスクリーン形態の２１ライン表示装置は、ビデオ情報をＣＤＶディスクを介して転送する場合に通常有効である。しかし、２１ライン表示装置を利用できない場合には、ＣＤＶディスクを介して転送されるビデオ情報又はその一部を２ライン表示装置にて表示させることができる。２つの異なる表示装置に異なる情報を表示させることもでき、例えば２ライン表示装置は所謂ソフトキーの機能を示すテキスト情報を表示させるのに用いることができ、２１ライン表示装置は他のテキスト情報を表示させるのに用いることができる。このように２つの異なる表示装置を用いる場合には、パケットの符号化テキストラインを２１ライン表示装置又は２ライン表示装置にそれぞれ表示すべきでない旨をテキスト位置ラインコードＬ４〜Ｌ０＝０００００及びＬＣＤ１，ＬＣＤ０＝００により指示することができる。
　パケット１、パケット２及びパケット３のシンボル１９のビット３〜０はメニューメモリ内の記憶位置を示す２バイトインデックスコードを転送するのに用いる。インデックスコードの機能については後に説明する。パケット２のシンボル５のビット４は表示装置をスイッチオンすべきかスイッチオフすべきかを示す。パケット０〜３の他のビットは符号化テキストの表示を制御する他のデータ、例えばテキストのみ、背景ビデオと合成されるテキスト等の色やスクロール区域や表示モードを規定するデータに用いる。
　第６ａ、ｂ、ｃ及びｄ図は命令コードを転送するのに好適なフォーマットの一例を示す。主チャネル及びサブチャネル用、誤り検査及び訂正用、同期用及び表示のスイッチオン及びオフ用のビットは第５図に示すフォーマットと同一である。パケット０〜３のシンボル０のアイテムコード用ビット０〜２は使用するフォーマットのタイプを示すのに用いる。パケット０のシンボル４のビット４〜０内の４ビツトコードＤＴＡ４〜ＤＴＡ０を用いてこのパケットは命令コードを含むことを示すことができる。命令コードの転送に用いるビットは第５図に示すフォーマットにおいて符号化テキストアイテムに用いられるものと同一である。各命令コードに対し７バイトを転送し、２バイトをメニューメモリ内の記憶位置を示す２バイトインデックスに用い、他の５バイトを命令の指定に用いる。
　
符号化テキスト及び命令コードを転送するパケットの使用により、Ｒ〜Ｗサブコードチャネルに記録されているパケットによって再生装置に転送されるメニュー情報を用いて再生装置を対話制御することができる
　第７図は情報キャリアに記録されている情報を検索する本発明装置の一実施例を示す。本例装置にはパケット内に記録されているテキスト情報を表示する表示装置と、
パケットに記録されているメニュー情報を用いて読取りを対話式に制御する手段とが設けられている
　ＦＭ変調ビデオ信号ＶmはＦＭ変調信号をビデオ信号Ｖ、例えばＰＡＬ又はＮＴＳＣ信号に復調するＦＭ復調器を備えたビデオ処理回路７５に供給する。ビデオ処理回路７５はビデオ情報と一緒に転送された画像番号コードＰＮＣを分離する手段も備えている。画像番号コードＰＮＣは制御回路７６に供給される。
ＣＤ信号はＣＤ信号をオーディオ信号ＡＤに変換すると共にＰ〜Ｗサブコード信号を分離するＣＤ信号処理回路８１に供給する。サブコード信号Ｒ〜Ｗはサブコード信号処理回路に供給し、この回路は既知のタイプのマイクロコンピュータ７７で構成することができる。マイクロコンピュータにはパケットのシンボル０を用いて受信パケットが第５図に示すフォーマットを有するのか第６図に示すフォーマットを有するのかを検出するプログラムがロードされている
　
マイクロコンピュータ７７から受信される制御信号に応じて変換回路７８は
・ビデオ信号により表わされるビデオ情報と受信符号化テキストアイテムにより表わされるテキストとの合成表示
・ビデオ情報のみの表示
・テキスト情報のみの表示
を生ぜしめる
　
前述したように、種々の主情報カテゴリのパケットは種々の言語のテキスト情報を転送するのに好適に使用することができる。サブ情報カテゴリのパケットは種々のタイプの情報、例えばサブメニュー、アルバム、トラック及びインデックスタイトル、トラックタイトルリスト又は歌詞を転送するのに好適に使用することができる。このようにすると、ユーザは表示すべきテキスト情報のタイプ及びこのテキスト情報を表示すべき言語を選択することができる
　１つの主カテゴリはオーバライド（優先）主カテゴリを指示するために取っておき、１つのサブカテゴリをオーバライドサブカテゴリを指示するために取っておくのが好ましい。オーバライド主カテゴリとオーバライドサブカテゴリコードを有するパケット内の情報はマイクロコンピュータ７７により、常に主及びサブカテゴリの現在の選択をバイパスして変換回路７８に供給される。オーバライド主カテゴリコードと、オーバライドサブカテゴリコードでないサブカテゴリコードとを有するパケット内の情報はサブカテゴリコードが選択されたサブ情報カテゴリと一致する場合にのみ変換回路７８に供給される。
　オーバライド主カテゴリでない主カテゴリコードと、オーバライドカテゴリコードとを有するパケット内の情報は主カテゴリコードが選択された主情報カテゴリと一致する場合にのみ変換回路７８に供給される。オーバライド情報カテゴリの使用はテキスト情報と無関係の言語を表示する必要がある場合に有利であり、この場合にはオーバライド主チャネル内に情報と無関係の言語を記録するだけで充分である。オーバライドカテゴリの使用は重要なメッセージを表示する必要がある場合にも有利である。
　テキストラインの数を一群の必須情報として表示する必要がある場合には、パケット群の第１パケットを示すパケット内の所定のビットを用いるのが有利である。第５及び６図に示すフォーマットにおいてはこのビットはビットＣＤＳ（パケット２のシンボル１のビット４）である。カテゴリの変更後は、新しく選択されたカテゴリのパケットの情報の供給開始は、各パケット群の開始を示すＣＤＳビットが検出されるまで延期される。これにより、１群のテキストラインを常に規定のスクリーン位置から出発して、例えば上から下へと、次々に表示させることができる。
　
マイクロコンピュータ７７はメニューメモリ８２と結合され、このメモリには対話制御用メニューアイテムを形成するテキストライン用のコードが記憶されている。各メニューテキストラインに対し１つの命令コードを割り当てる必要があり、これら命令コードもメニューメモリ内に記憶されている。マイクロコンピュータ７７には符号化テキストラインを変換回路７８に供給してメニューを表示装置７９上に表示せしめるプログラムがロードされている。更に、マイクロコンピュータ７７は表示すべきメニューテキストラインを選択するメニュー選択装置８３にも結合される。このメニュー選択装置８３は表示装置のスクリーン上に表示されるカーソルを移動させるカーソル制御キーと、カーソルで指示されたメニューテキストラインを選択する選択キーとで構成することができる。ユーザが指示されたメニューテキストラインを選択すると、対応する命令コードが実行される
　表１はメニュー情報をどのようにメニューメモリ８２内に記憶し得るかを示すものである。
　左端の第１欄はメニューテキストラインと命令コードの組合せが記憶されている記憶位置のインデックスアドレスを示す。５バイトを含む命令コードは第３欄に示してある。実行すべき機能は表の第４欄に示してある。
　表１には４種類のメニューのメニュー情報が記憶され、インデックスアドレス０００１〜０００６に１つのメニューが、インデックスアドレス００８０〜００８３に他の１つのメニューが、インデックスアドレス０１００〜０１０３に他の１つのメニューが、インデックスアドレス０１２３〜０１２５に他の１つのメニューが記憶されている。
　表１においては４種類の命令を区別する必要がある。
・第１のタイプの命令は命令コードから成るアドレスで指示される記録キャリア上の位置に記録されている情報のサーチを開始させる命令（ジャンプ命令）である。このアドレスはサブコードＱチャネル内に記録されている絶対時間コード又はビデオ情報と一緒に記憶されている画像番号とすることができる。
このタイプの命令と対応するテキストラインが選択されると、マイクロコンピュータ７７が制御回路７６によりサーチ機能を開始させる
・第２のタイプの命令は命令コードから成るインデックスアドレスで指示される他のメニューを表示せしめる命令である。このタイプの命令は例えばインデックスアドレス００６０及び００８３で指示される記憶位置に記憶されている。
・第３のタイプの命令はマイクロコンピュータ７７により受信されたパケットストリームから分離すべきパケットの主及び／又はサブカテゴリを選択することができる。このタイプの命令コードは例えばインデックスアドレス０００１及び００８２で指示される記憶位置に記憶されている。
・第４のタイプの命令はマイクロコンピュータ７７により供給される符号化テキストの表示をオン又はオフにセットする命令である。このタイプの命令は例えばインデックスアドレス０００４及び０１２５により指示される記憶位置に記憶されている。マイクロコンピュータ７７には所定のキーの押圧に応答して表示をオンにセットするプログラムもロードされている。このようにすると、このキーの押圧をマイクロコンピュータで検出し、表示セットオン命令を変換回路７８に送出して表示をオンにセットすることができる。
　
表１に示す例では、４種類のみの異なる命令コードを示してある。しかし、情報の対話式読出しによりいかなる種類の装置をも制御する他の種類の命令をも、例えば再生中にポーズを生せしめるポーズ命令コードや、ビデオ及び／又はオーディオ出力をミュートさせるミュート命令や、情報の読出しを開始させる再生命令を用いることができる
　
メニュー情報はＲ〜Ｗサブコードチャネル内に第６及び７図に示すようなフォーマットで記録されており、好ましくは、情報キャリア７０上のプログラムの再生を開始させる前に情報を見うるようにもする。情報キャリアをＣＤ又はＣＤＶディスクとする場合には、好ましくは第１情報トラックの始端の前に、すなわちリードイントラックの終端と第１情報トラックの始端との間でトラックプレポーズのＲ〜Ｗチャネル（００の下位のトラック０１）中にメニュー情報を記録しておくようにすることができる。メニュー情報が第１情報トラックの前に記録されている場合には、ＣＤサブコードリードインエリアからＴＯＣを読出した直後に実行される前記のジャンプ命令を用いることにより、メニュー情報を再生の開始前に取出してメモリ内にロードさせることができる。メニュー情報をメニューメモリ内にローディングするためには、選択した主カテゴリのパケット中のインデックスコードを検出し、このインデックスコードによって示されるアドレス中に符号化メニューテキストラインと対応の命令コードとを記憶するようにマイクロコンピュータ７７をプログラミングする
　予め決定したインデックスコード、例えば００を有する符号化テキストライン及び命令コードはメモリ中に記憶しない。このインデックスを有する命令コードは直接実行される。これにより、メニュー情報がメモリ中にロードされる前に多数の命令を実行させるようにする。例えば主及びサブカテゴリを設定する命令により、メニュー情報が記録されている位置の探索及び読出しを開始し、続いてメニュー或いは画像の表示を行なったり、メニュー情報の読込み後に主メニューを表示したりする。
　第８図は、ＣＤ或いはＣＤＶデイクスのＲ〜Ｗサブコードチャネル中に開始（スタート・アップ）情報を記録するのが好ましい位置を示す。符号９０はＣＤ信号が記録されているトラックを示す。トラックの始端は、内容テーブル（ＴＯＣ）がサブコードＱチャネルに記録されているリードイントラツク９１を表わす。
　オーディオ情報を有する第１情報トラツク（トラック１／インデツクス１）を９２で示してある。リードイントラツク９１と第１情報トラツク９２との間にプレポーズトラック（トラック１／インデックス０）９３が位置している。リードイントラック後に位置しているトラック９０の部分では、情報位置（アドレス）を表わす絶対的なタイムコードがサブコードＱチャネル中に記録されている。
　
Ｒ〜Ｗサブコードチャネルには、開始情報の記録の始端を表わすアドレスＴＡを含むジャンプ命令が記録され、Ｒ〜Ｗサブコードチャネルのプレポーズトラック９３には例えばメニュー情報が記録されている
トラック９０の読出しを開始すると、まず最初にＴＯＣが読込まれ、アドレスＴＡを含むジャンプ命令コードがＲ〜Ｗチャネルから読出される。内容テーブルの読込みが終了した後、アドレスＴＡを含むジャンプ命令が実行され、メニュー情報が読出されてメニューメモリに記憶される。検索後に直接実行される命令コードを用いることによりメニュー情報のローディング及びメニュー或いは画像の表示後にポーズ機能を呼び出す。また直接実行される命令コードを用いることにより、メニューを表示せしめることなく情報トラックの１つの読出しを開始せしめることもできる
　
　摘記した引用例記載事項及び図面を総合勘案すると、引用例には、結局、次の発明（以下、「引用発明」という。）が記載されている。
　
「ディスクの再生を制御したり関連する情報を表示したりすることなどに用いられるサブコード信号が０番目のデータビット（ＤＢ）として記録される領域と、オーディオデータが第１〜第１２番目及び第１７〜第２８番目のデータビット（ＤＢ）として記録される領域とを備え、上記サブコード信号が記録される領域のうちのＲ〜Ｗチャネルは、アルバムやトラックタイトルなどを示すテキスト情報を記録することができる領域であり、この領域に情報の読出しを制御する命令コードが記録される情報キャリア（コンパクトディスク又はＣＤＶディスク）に対応する情報転送システム用装置であって、マイクロコンピュータ７７はＲ〜Ｗサブコードチャネル内に記録されている命令コードを含むメニュー情報をメニューメモリ８２内にローディングさせ、当該メニュー情報を用いて対話式に装置を制御することが可能な情報転送システム用装置。」
　
３．対比
　そこで、本願発明と引用発明とを対比する。
　引用発明における「情報転送システム用装置」及び「情報キャリア（コンパクトディスク又はＣＤＶディスク）」は、それぞれ本願発明における「記録又は再生装置」及び「記録媒体」に相当する。
　引用発明における「ディスクの再生を制御したり関連する情報を表示したりすることなどに用いられるサブコード信号が０番目のデータビット（ＤＢ）として記録される領域」、「オーディオデータが第１〜第１２番目及び第１７〜第２８番目のデータビット（ＤＢ）として記録される領域」及び「サブコード信号が記録される領域のうちのＲ〜Ｗチャネル」は、それぞれ本願発明における「管理情報記録領域」、「音声情報記録領域」及び「文字記録領域」に相当する。
　引用発明における「命令コード」は、本願発明における「コマンドとして予め定められた文字列情報」に相当する。
　引用発明における「マイクロコンピュータ７７」及び／又は「メニューメモリ８２」は、本願発明における「文字列情報読込手段」に相当する。
　引用発明において、命令コードにより指示された動作の実行を制御する機能について、引用例には明瞭、明確な記載はないものの、装置が当然に備えるべきものであり、マイクロコンピュータ７７か制御回路７６、あるいは別に設けられる制御手段がその手段に該当し、本願発明における「制御手段」に対応するものと認められる。
　引用発明において、当該制御手段によって制御され、命令コードによって指示された動作を実行する機能についても、引用例には明瞭、明確な記載はないものの、装置が当然に備えるべきものであり、本願発明における「所要の入出力手段」は引用発明も備えているものと認められる。
　すると、本願発明と引用発明は、次の点で一致する。
＜一致点＞
「１又は複数単位の音声情報が記録される音声情報記録領域と前記音声情報の記録動作又は再生動作のための管理情報が記録される管理情報記録領域とを備え、さらに該管理情報記録領域内には（上記１．（注）を参照のこと。）記録媒体名又は音声情報名を示す文字情報を記録することができる文字記録領域が用意されており、この文字記録領域にコマンドとして予め定められた文字列情報が記録される記録媒体に対応する記録又は再生装置であって、
　前記記録媒体から、前記文字記録領域から文字列情報を読み込む文字列情報読込手段と、
　前記文字列情報読込手段によって読み込まれたコマンドとしての文字列情報により指示された動作の実行を制御する制御手段と、
　前記制御手段によって制御され、読み込まれた文字列情報によって指示された動作を実行する所要の入出力手段と、
を備えたことを特徴とする記録又は再生装置。」
　
　一方、次の点で相違する。
＜相違点＞
　本願発明は、ユーザー操作に応じて対話モードが設定されたとき、指示された動作の実行を制御するのに対し、引用発明は、対話モードの設定について特に明記されていない点。
　
４．当審の判断
　そこで、上記相違点について検討する。
　対話式に装置を制御するものである引用発明において、当該対話をモードの設定により行うようにすることは、当業者が適宜なし得る程度のことと認められる。
　
　なお、審判請求人は、審判請求書において、本願発明は「管理情報記録領域に管理情報がまとめて記録されているため、全てのフレームを読み込まなくても多様な動作が可能になっているもの」である旨主張しているが、請求項１の記載事項を見ても当該主張点を裏付ける構成までの記載はされていない。
　また、本願発明が仮にそのようなものであるとしても、引用発明は文字情報を記録することができる領域に命令コードを記録するものであるところ、ＴＯＣ領域に記録してある文字情報（ディスク名や曲名等）を表示することが可能なディスク記録又は再生装置は本願出願前に周知であるから、文字情報を記録することができる領域として、Ｒ〜Ｗサブコードチャネルを用いるか、ＴＯＣ領域を用いるかは当業者が適宜選択し得る程度のことと認められる。
　
５．むすび
　以上のとおり、本願の請求項１に係る発明は、引用例に記載された発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。